【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
画像配信サイトから配信する画像データをユーザサイトにおいて受信し、ユーザサイトに設置された表示装置に表示する情報通信システムにおいて、
前記ユーザサイトは、
画像配信サイトから配信する画像データを表示する表示装置と、
前記表示装置に対する表示画像のコントロールを実行するコントロール装置と、
前記コントロール装置において操作された操作情報に基づいて、コントロール情報を生成する制御部と、
前記コントロール情報をユーザサイトから画像配信サイトに送信する通信手段とを有し、
前記画像配信サイトは、
ユーザサイトから送信されるコントロール情報を受信する通信部と、
前記通信部により受信された前記コントロール情報を格納する記憶手段と、
前記記憶手段に蓄積された前記コントロール情報の解析処理を実行するデータ処理手段と、
を有することを特徴とする情報通信システム。
【請求項２】
前記画像データは、視点位置を変更設定して表示可能な画像データであり、
前記コントロール装置は、前記表示装置に表示する画像の視点位置を変更制御する視点設定手段を有し、
前記ユーザサイトにおける制御部は、
前記視点設定手段の設定情報を格納したコントロール情報を生成する構成であることを特徴とする請求項１に記載の情報通信システム。
【請求項３】
前記画像データは、視点位置を変更設定して表示可能な画像データであり、
前記コントロール装置は、前記表示装置に表示する画像の視点位置を変更制御する視点設定手段を有し、
前記ユーザサイトにおける制御部は、
前記視点設定手段の設定情報を格納したコントロール情報を生成し、
前記画像配信サイトのデータ処理手段は、前記コントロール情報に基づいて、ユーザサイトの表示装置に表示された画像領域毎の視聴分布データを取得する処理を実行する構成であることを特徴とする請求項１に記載の情報通信システム。
【請求項４】
前記画像データは、視点位置を変更設定して表示可能な画像データであり、
前記コントロール装置は、前記表示装置に表示する画像の視点位置を変更制御する視点設定手段として、平面領域における視聴領域設定情報としての視聴角度Θを設定可能な構成を有し、
前記ユーザサイトにおける制御部は、
前記視聴角度Θの設定情報を格納したコントロール情報を生成する構成であることを特徴とする請求項１に記載の情報通信システム。
【請求項５】
前記画像データは、視点位置を変更設定して表示可能な画像データであり、
前記コントロール装置は、前記表示装置に表示する画像の視点位置を変更制御する視点設定手段として、平面領域および垂直領域における視聴領域設定情報としての視聴角度Θおよび視聴仰角Φを設定可能な構成を有し、
前記ユーザサイトにおける制御部は、
前記視聴角度Θおよび視聴仰角Φの設定情報を格納したコントロール情報を生成する構成であることを特徴とする請求項１に記載の情報通信システム。
【請求項６】
前記ユーザサイトにおける前記制御部は、
前記コントローラ装置によるコントロール時間情報を付加したコントロール情報を生成する構成であることを特徴とする請求項１に記載の情報通信システム。
【請求項７】
画像配信サイトから配信する画像データをユーザサイトにおいて受信し、ユーザサイトに設置された表示装置に表示する情報通信方法であり、
前記ユーザサイトにおいて、画像配信サイトから配信する画像データを表示装置に表示するとともに、コントロール装置の操作により、前記表示装置に対する表示画像のコントロールを実行するステップと、
前記コントロール装置における操作情報に基づいて、コントロール情報を生成するコントロール情報生成ステップと、
前記コントロール情報をユーザサイトから画像配信サイトに送信するコントロール情報送信ステップとを実行し、
前記画像配信サイトにおいて、
ユーザサイトから送信されるコントロール情報を受信するコントロール情報受信ステップと、
前記コントロール情報受信ステップにおいて受信された前記コントロール情報を格納する記憶ステップと、
記憶された前記コントロール情報の解析処理を実行するデータ処理ステップと、
を実行することを特徴とする情報通信方法。
【請求項８】
画像データの受信およびコントロール情報送信処理を実行するコンピュータ・プログラムであって、
画像配信サイトから配信する画像データを表示装置に表示するとともに、コントロール装置の操作により、前記表示装置に対する表示画像のコントロールを実行するステップと、
前記コントロール装置における操作情報に基づいて、コントロール情報を生成するコントロール情報生成ステップと、
前記コントロール情報をユーザサイトから画像配信サイトに送信するコントロール情報送信ステップと、
を具備することを特徴とするコンピュータ・プログラム。
【請求項９】
画像データに対するコントロール情報処理を実行するコンピュータ・プログラムであって、
ユーザサイトから送信されるコントロール情報を受信するコントロール情報受信ステップと、
前記コントロール情報受信ステップにおいて受信された前記受信コントロール情報を格納する記憶ステップと、
記憶された前記コントロール情報の解析処理を実行するデータ処理ステップと、
を具備することを特徴とするコンピュータ・プログラム。
【請求項１０】
情報処理装置であり、
ユーザサイトから送信される画像データに対するコントロール情報を受信するコントロール情報受信部と、
前記コントロール情報受信部において受信された前記コントロール情報を格納する記憶部と、
前記記憶部に記憶された前記コントロール情報の解析処理を実行するデータ処理部と、
を有することを特徴とする情報処理装置。
【手続補正２】
【補正対象書類名】明細書
【補正対象項目名】００１０
【補正方法】変更
【補正の内容】
【００１０】
【課題を解決するための手段】
本発明の第１の側面は、
画像配信サイトから配信する画像データをユーザサイトにおいて受信し、ユーザサイトに設置された表示装置に表示する情報通信システムにおいて、
前記ユーザサイトは、
画像配信サイトから配信する画像データを表示する表示装置と、
前記表示装置に対する表示画像のコントロールを実行するコントロール装置と、
前記コントロール装置において操作された操作情報に基づいて、コントロール情報を生成する制御部と、
前記コントロール情報をユーザサイトから画像配信サイトに送信する通信手段とを有し、
前記画像配信サイトは、
ユーザサイトから送信されるコントロール情報を受信する通信部と、
前記通信部により受信された前記コントロール情報を格納する記憶手段と、
前記記憶手段に蓄積された前記コントロール情報の解析処理を実行するデータ処理手段と、
を有することを特徴とする情報通信システムにある。
【手続補正３】
【補正対象書類名】明細書
【補正対象項目名】００２０
【補正方法】変更
【補正の内容】
【００２０】
さらに、本発明の第２の側面は、
画像配信サイトから配信する画像データをユーザサイトにおいて受信し、ユーザサイトに設置された表示装置に表示する情報通信方法であり、
前記ユーザサイトにおいて、画像配信サイトから配信する画像データを表示装置に表示するとともに、コントロール装置の操作により、前記表示装置に対する表示画像のコントロールを実行するステップと、
前記コントロール装置における操作情報に基づいて、コントロール情報を生成するコントロール情報生成ステップと、
前記コントロール情報をユーザサイトから画像配信サイトに送信するコントロール情報送信ステップとを実行し、
前記画像配信サイトにおいて、
ユーザサイトから送信されるコントロール情報を受信するコントロール情報受信ステップと、
前記コントロール情報受信ステップにおいて受信された前記コントロール情報を格納する記憶ステップと、
記憶された前記コントロール情報の解析処理を実行するデータ処理ステップと、
を実行することを特徴とする情報通信方法にある。
【手続補正４】
【補正対象書類名】明細書
【補正対象項目名】００３１
【補正方法】変更
【補正の内容】
【００３１】
さらに、本発明の第４の側面は、
画像データに対するコントロール情報処理を実行するコンピュータ・プログラムであって、
ユーザサイトから送信されるコントロール情報を受信するコントロール情報受信ステップと、
前記コントロール情報受信ステップにおいて受信された前記受信コントロール情報を格納する記憶ステップと、
記憶された前記コントロール情報の解析処理を実行するデータ処理ステップと、
を具備することを特徴とするコンピュータ・プログラムにある。
さらに、本発明の第５の側面は、
情報処理装置であり、
ユーザサイトから送信される画像データに対するコントロール情報を受信するコントロール情報受信部と、
前記コントロール情報受信部において受信された前記コントロール情報を格納する記憶部と、
前記記憶部に記憶された前記コントロール情報の解析処理を実行するデータ処理部と、
を有することを特徴とする情報処理装置にある。